(57)【要約】【課題】  コイル断線の防止。【解決手段】  図１（ａ）に示すように、振動板５のコイル接着面５ｂには少なくとも１カ所以上のコイル接着剤１２を塗布しない部分である非塗布部５ｃを設け、その他の部分にコイル接着剤１２を塗布する。そして図１（ｂ）に示すように、コイル端末６ａの引出部６ｂを非塗布部５ｃに合わせてボイスコイル６を振動板５のコイル接着面５ｂに接着する。このとき、非塗布部５ｃにはコイル接着剤とは異なる樹脂、例えば硬化しても硬くならない樹脂を塗布する場合もある。本発明のスピーカでは、コイル端末６ａの引出部６ｂにおいて、接着剤１２に覆われていないために、あるいは柔軟性のある樹脂で覆われているために、スピーカ駆動時に発生する応力を緩和することができる。【選択図】      図１
2006166152.tif 000002
【特許請求の範囲】
【請求項１】
ボイスコイルが振動板に固定されているムービングボイスコイル式の電気音響変換器において、前記振動板の前記ボイスコイルの接着面に少なくとも１カ所以上の接着剤を塗布しない非塗布部を設け、この非塗布部を除いた前記振動板の前記ボイスコイルの接着面に接着剤を塗布して、コイル端末の引出部が前記非塗布部に来るように位置を合わせて前記ボイスコイルを前記振動板に固定したことを特徴とする電気音響変換器。
【請求項２】
前記振動板の前記非塗布部には前記ボイスコイルの接着面から離れた面を有する段差部を設けたことを特徴とする請求項１記載の電気音響変換器。
【請求項３】
前記振動板の前記非塗布部には前記ボイスコイルの接着剤とは異なる樹脂を塗布したことを特徴とする請求項１又は請求項２記載の電気音響変換器。
【発明の詳細な説明】
【技術分野】
【０００１】
本発明は携帯電話等に使用される小型スピーカ等の電気音響変換器に関する。
【背景技術】
【０００２】
従来、電気音響変換器である小型スピーカは携帯電話等に広く用いられている（例えば、特許文献１参照。）。このような小型スピーカの一例について図面を参照して説明する。図３は従来の小型スピーカの平面図であり、図４は図３のＡ−Ａ断面を示す断面図である。図５はこのスピーカの底面図である。図６は振動板とボイスコイルとの接着構造を示す斜視図であり、図７は図６のＢ部の断面を示す要部断面図である。
【０００３】
まず、従来の小型スピーカの構成について説明する。図３乃至図５において、５０はムービングボイスコイル式の電気音響変換器であるスピーカを示しており、１はスピーカ５０の樹脂成形品から成るフレームを示している。フレーム１は略円環状の胴部１ａとその１部が外側へ方形に膨出した膨出部１ｂとから成り、胴部１ａは中央穴１ｃと外周段部１ｄとを有する。２は中央穴１ｃに固定された平鍋形状の磁性体から成るヨークを示している。３はヨーク２に接合された円盤状の永久磁石を示しており、４は磁石３上に接合された円盤状の磁性体から成るトッププレートを示している。そして、ヨーク２、磁石３及びトッププレート４で磁気回路部を構成している。
【０００４】
図６にも示すように、５は同心円状の波形を有する薄型の樹脂成形品から成る振動板を示している。振動板５の周縁部５ｂはフレーム１の外周段部１ｄに接着されている。６は巻き線を卷回して形成した円筒形のボイスコイルを示しており、振動板５の下面のコイル接着面５ａに接着されている。ボイスコイル６は振動板５のコイル接着面５ａ全面に塗布されたゴム系やアクリル系等のコイル接着剤１２により固定されている。
【０００５】
図７に示すように、コイル端末６ａはボイスコイル６からの引出部６ｂにおいて接着剤１２により埋設固定されており、その先はフォーミングされて振動板５面に沿って柔軟性のあるシリコーン系の樹脂により固定するか、空間に浮かすように処理されている。ボイスコイル６はヨーク２とトッププレート４との隙間である磁気ギャップｇに臨んでいる。７は振動板５の周縁部を押さえて外周段部１ｄ上に接合されているリングを示している。８は複数の放音孔８ａを有するプロテクタを示しており、リング７上に接合されて振動板５を保護している。
【０００６】
９は配線回路としての配線基板を示しており、一対の配線パターン９ａにコイル端末６ａがハンダ付けされている。ハンダ付け部は樹脂封止９ｃで被覆されている。１０は外部接続端子としての圧縮コイルスプリングであるバネを示しており、その一方の端面が配線パターン９ａと導通する配線パターン９ｂにハンダ付けされている。１１はリアメッシュを示しており、フレーム１の空気逃げ穴１ｅを覆って防塵用の作用をしている。
【０００７】
次に、このスピーカ５０の作用について説明する。バネ１０に音響信号が入力されると、磁気回路部とコイル６との間にフレミングの左手の法則に基づく作用が働いて、コイル５６が垂直方向に振動するから、コイル６と接合された振動板５が振動して発音し、音響が放音孔８ａを通じて外部へ放出される。
【特許文献１】特開２００３−１４３６７６号公報（図１）
【発明の開示】
【発明が解決しようとする課題】
【０００８】
従来の電気音響変換器では、コイル端末６ａの断線がスピーカにとって最も一般的な不良原因となっていた。現状ではコイル端末６ａは硬化して柔軟性のない接着剤１２の中に埋まっているために、最も応力が集中する箇所はボイスコイル６からの引出部６ｂ（接着剤１２の端面）である。コイル端末６ａは接着剤１２の物性により影響を受けやすく、接着剤１２の選定に当たっては駆動時の応力、耐熱性等を考慮する必要があるために自由度がない状況である。また、近年大きな電力入力が保証できる高耐入力のスピーカが求められているが、接着剤１２の耐熱性を上げると一般的に接着剤１２が硬くなるため、ボイスコイル６からのコイル端末６の引出部６ｂに応力がかかり断線しやすくなっている。
【０００９】
本発明は、このような従来の問題を解決するためになされたものであり、その目的は、コイル端末の断線が発生しない電気音響変換器を提供することである。
【課題を解決するための手段】
【００１０】
前述した目的を達成するための本発明の手段は、ボイスコイルが振動板に固定されているムービングボイスコイル式の電気音響変換器において、前記振動板の前記ボイスコイルの接着面に少なくとも１カ所以上の接着剤を塗布しない非塗布部を設け、この非塗布部を除いた前記振動板の前記ボイスコイルの接着面に接着剤を塗布して、コイル端末の引出部が前記非塗布部に来るように位置を合わせて前記ボイスコイルを前記振動板に固定したことを特徴とする。
【００１１】
また、前記振動板の前記非塗布部には前記ボイスコイルの接着面から離れた面を有する段差部を設けたことを特徴とする。
【００１２】
また、前記振動板の前記非塗布部には前記ボイスコイルの接着剤とは異なる樹脂を塗布したことを特徴とする。
【発明の効果】
【００１３】
本発明によれば、ボイスコイルが振動板に固定されているムービングボイスコイル式の電気音響変換器において、前記振動板の前記ボイスコイルの接着面に少なくとも１カ所以上の接着剤を塗布しない非塗布部を設け、この非塗布部を除いた前記振動板の前記ボイスコイルの接着面に接着剤を塗布して、コイル端末の引出部が前記非塗布部に来るように位置を合わせて前記ボイスコイルを前記振動板に固定したので、コイル端末の断線の発生を防ぐことができ、製品の寿命を長くすることができた。また、コイル端末に発生する応力が減少することにより今まで以上の高入力を保証できるようになった。
【発明を実施するための最良の形態】
【００１４】
以下、本発明の実施の形態を図面を参照して詳細に説明する。図１は本発明の第１の実施の形態である電気音響変換器の振動板とボイスコイルとの接着構造を示す斜視図、図２は本発明の第２の実施の形態である電気音響変換器の振動板とボイスコイルとの接着構造を示す斜視図である。
【００１５】
まず、本発明の第１の実施の形態である電気音響変換器の構成を説明する。従来の電気音響変換器と異なるところは振動板とボイスコイルとの接着構造であるから、もっぱらこの構造について説明し、その他の構成は従来技術で説明したものと同じであるから、同じ構成要素には同じ符号と名称とを付して詳細な説明を省略する。図１（ａ）に示すように、振動板５のコイル接着面５ｂには少なくとも１カ所以上のコイル接着剤１２を塗布しない部分である非塗布部５ｃを設けて、それ以外の部分にコイル接着剤１２を塗布する。そして図１（ｂ）に示すように、コイル端末６ａの引出部６ｂの位置を非塗布部５ｃに合わせてボイスコイル６を振動板５のコイル接着面５ａに接着する。このとき、非塗布部５ｃにはコイル接着剤１２とは異なる樹脂、例えばシリコーン系のような柔軟性のある樹脂を塗布する場合もある。
【００１６】
次に、本発明の第１の実施の形態の効果について説明する。本発明のスピーカでは、コイル端末６ａの引出部６ｂが接着剤１２に覆われていないために、あるいは柔軟性のある樹脂で覆われているために、スピーカ駆動時にコイル端末６ａに発生する応力を緩和することができる。
【００１７】
次に、本発明の第２の実施の形態である電気音響変換器の構成を説明する。図２（ａ）に示すように、振動板１５のコイル接着面１５ａの少なくとも１カ所の第１の実施の形態における非塗布部５ｃに相当する箇所に、接着面１５ａから隔たる面を有する段差部１５ｃが形成してある。図２（ｂ）に示すように、段差部１５ｃを除いたコイル接着面１５ａ全面にコイル接着剤１２を塗布し、図２（ｃ）に示すように、コイル端末６ａの引出部６ｂを段差部１５ｃに合わせてボイスコイル６を振動板５のコイル接着面１５ａに接着する。これにより、コイル端末６ａには接着剤１２がなく、空間に浮いている状態となる。こ場合も、段差部１５ｃにはコイル接着剤１２とは異なる樹脂、例えばシリコーン系のような柔軟性のある樹脂を塗布する場合もある。
【００１８】
次に、本発明の第２の実施の形態の効果について説明する。本発明の第２の実施の形態のスピーカでは、コイル端末６ａの引出部６ｂにおいて段差部１５ｃが存在するために、コイル端末６ａは接着剤１２に覆われてない。あるいは段差部１５ｃが柔軟性のある樹脂で覆われているために、スピーカ駆動時にコイル端末６ａに発生する応力を緩和することができる。また、第１の実施の形態における振動板５ではコイル接着剤１２が毛細管現象により非塗布部に５ｃに流れ込む可能性があるのを本実施の形態の振動板１５では防止することができる。
【産業上の利用可能性】
【００１９】
本発明の電気音響変換器は、携帯電話やＰＤＡ等の小型携帯情報端末に広く応用できるものである。
【図面の簡単な説明】
【００２０】
【図１】本発明の第１の実施の形態である振動板とボイスコイルとの接着構造を示す斜視図である。
【図２】本発明の第２の実施の形態である振動板とボイスコイルとの接着構造を示す斜視図である。
【図３】従来のスピーカを示す平面図である。
【図４】図３のＡ−Ａ断面を示す断面図である。
【図５】従来のスピーカを示す底面図である。
【図６】従来の振動板とボイスコイルとの接着構造を示す斜視図である。
【図７】図６のＢ部の詳細を示す要部拡大断面図である。
【符号の説明】
【００２１】
５、１５  振動板
５ｂ  ボイスコイルの接着面
５ｃ  非塗布部
６  ボイスコイル
６ａ  コイルの端末
６ｂ  コイル端末の引出部
９  配線基板
１２  接着剤
１５ｃ  段差部
５０  電気音響変換器
【図１】
2006166152.tif 000003
【図２】
2006166152.tif 000004
【図３】
2006166152.tif 000005
【図４】
2006166152.tif 000006
【図５】
2006166152.tif 000007
【図６】
2006166152.tif 000008
【図７】
2006166152.tif 000009